【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
通信可能に接続された撮像装置から転送される画像に対して、該撮像装置から要求される画像処理を実施するコンピュータであって、
前記転送された画像を記憶する記憶手段と、
前記画像処理の要求に、画像保存指示が含まれているかどうかを判断する判断手段と、
前記記憶手段に記憶された画像に対して、要求された前記画像処理を行う画像処理手段と、
前記判断手段により前記画像保存指示が含まれていないと判断された場合に、前記転送された画像を前記画像処理後に前記記憶手段から消去し、前記画像保存指示が含まれていると判断された場合に、前記転送された画像を前記記憶手段または外部記憶媒体の少なくともいずれかに保存するように制御する制御手段と
を有することを特徴とするコンピュータ。
【請求項２】
前記画像処理は、画像の印刷処理、メール送信、サーバへのアップロード、プリント発注、ドキュメント生成、及び、壁紙設定の少なくともいずれかを含むことを特徴とする請求項１に記載のコンピュータ。
【請求項３】
通信可能に接続されたコンピュータに対して画像を転送すると共に、該画像に対する画像処理を要求する撮像装置であって、
複数の画像を記憶可能な記憶手段と、
前記記憶手段に記憶された画像から、転送する画像を選択する選択手段と、
前記画像処理の要求に画像保存指示を含めた場合に、前記選択した画像を転送後、前記記憶手段に記憶された該転送済みの画像に転送済みの属性を付加し、前記画像処理の要求に前記画像保存指示を含めない場合に、前記転送済みの画像に転送済みの属性を付加しないように管理する管理手段と
を有することを特徴とする撮像装置。
【請求項４】
前記画像処理は、画像の印刷処理、メール送信、サーバへのアップロード、プリント発注、ドキュメント生成、及び、壁紙設定の少なくともいずれかを含むことを特徴とする請求項３に記載の撮像装置。
【請求項５】
前記画像保存指示を前記画像処理の要求に含めるか否かを、ユーザの指定に応じて決定することを特徴とする請求項３または４に記載の撮像装置。
【請求項６】
前記画像保存指示を前記画像処理の要求に含めるか否かを、前記画像処理の種類に応じて決定することを特徴とする請求項３または４に記載の撮像装置。
【請求項７】
通信可能に接続された撮像装置から転送される画像に対して、該撮像装置から要求される画像処理を実施する画像処理方法であって、
前記転送された画像を記憶手段に記憶する記憶ステップと、
前記記憶手段に記憶された画像に対して、要求された前記画像処理を行う画像処理ステップと、
前記画像処理の要求に、画像保存指示が含まれているかどうかを判断する判断ステップと、
前記判断ステップで前記画像保存指示が含まれていないと判断された場合に、前記転送された画像を前記画像処理後に前記記憶手段から消去する消去ステップと
前記判断ステップで前記画像保存指示が含まれていると判断された場合に、前記転送された画像を前記記憶手段または外部記憶媒体の少なくともいずれかに保存する保存ステップと
を有することを特徴とする画像処理方法。
【請求項８】
前記画像処理は、画像の印刷処理、メール送信、サーバへのアップロード、プリント発注、ドキュメント生成、及び、壁紙設定の少なくともいずれかを含むことを特徴とする請求項７に記載の画像処理方法。
【請求項９】
複数の画像を記憶可能な記憶手段を有し、通信可能に接続されたコンピュータに対して画像を転送すると共に、該画像に対する画像処理を要求する撮像装置の制御方法であって、
前記記憶手段に記憶された画像から、転送する画像を選択する選択ステップと、
前記画像処理の要求に画像保存指示を含めた場合に、前記選択した画像を転送後、前記記憶手段に記憶された該転送済みの画像に転送済みの属性を付加する属性付与ステップとを有し、
前記画像処理の要求に前記画像保存指示を含めない場合に、前記選択した画像を転送後、該転送済みの画像に転送済みの属性を付加しないことを特徴とする制御方法。
【請求項１０】
前記画像処理は、画像の印刷処理、メール送信、サーバへのアップロード、プリント発注、ドキュメント生成、及び、壁紙設定の少なくともいずれかを含むことを特徴とする請求項９に記載の制御方法。
【請求項１１】
前記画像保存指示を前記画像処理の要求に含めるか否かを、ユーザの指定に応じて決定することを特徴とする請求項９または１０に記載の制御方法。
【請求項１２】
前記画像保存指示を前記画像処理の要求に含めるか否かを、前記画像処理の種類に応じて決定することを特徴とする請求項９または１０に記載の制御方法。
【請求項１３】
コンピュータに、請求項７または８に記載の画像処理方法の各工程を実行させるためのプログラム。
【請求項１４】
請求項１３に記載のプログラムを格納したことを特徴とするコンピュータが読み取り可能な記憶媒体。
【手続補正２】
【補正対象書類名】明細書
【補正対象項目名】００１０
【補正方法】変更
【補正の内容】
【００１０】
上記目的を達成するために、通信可能に接続された撮像装置から転送される画像に対して、該撮像装置から要求される画像処理を実施する本発明のコンピュータは、前記転送された画像を記憶する記憶手段と、前記画像処理の要求に、画像保存指示が含まれているかどうかを判断する判断手段と、前記記憶手段に記憶された画像に対して、要求された前記画像処理を行う画像処理手段と、前記判断手段により前記画像保存指示が含まれていないと判断された場合に、前記転送された画像を前記画像処理後に前記記憶手段から消去し、前記画像保存指示が含まれていると判断された場合に、前記転送された画像を前記記憶手段または外部記憶媒体の少なくともいずれかに保存するように制御する制御手段とを有する。
【手続補正３】
【補正対象書類名】明細書
【補正対象項目名】００１１
【補正方法】変更
【補正の内容】
【００１１】
また、通信可能に接続された撮像装置から転送される画像に対して、該撮像装置から要求される画像処理を実施する本発明の画像処理方法は、前記転送された画像を記憶手段に記憶する記憶ステップと、前記記憶手段に記憶された画像に対して、要求された前記画像処理を行う画像処理ステップと、前記画像処理の要求に、画像保存指示が含まれているかどうかを判断する判断ステップと、前記判断ステップで前記画像保存指示が含まれていないと判断された場合に、前記転送された画像を前記画像処理後に前記記憶手段から消去する消去ステップと前記判断ステップで前記画像保存指示が含まれていると判断された場合に、前記転送された画像を前記記憶手段または外部記憶媒体の少なくともいずれかに保存する保存ステップとを有する。
【手続補正４】
【補正対象書類名】明細書
【補正対象項目名】００１２
【補正方法】変更
【補正の内容】
【００１２】
更に、通信可能に接続されたコンピュータに対して画像を転送すると共に、該画像に対する画像処理を要求する本発明の撮像装置は、複数の画像を記憶可能な記憶手段と、前記記憶手段に記憶された画像から、転送する画像を選択する選択手段と、前記画像処理の要求に画像保存指示を含めた場合に、前記選択した画像を転送後、前記記憶手段に記憶された該転送済みの画像に転送済みの属性を付加し、前記画像処理の要求に前記画像保存指示を含めない場合に、前記転送済みの画像に転送済みの属性を付加しないように管理する管理手段とを有する。
【手続補正５】
【補正対象書類名】明細書
【補正対象項目名】００１３
【補正方法】変更
【補正の内容】
【００１３】
また、複数の画像を記憶可能な記憶手段を有し、通信可能に接続されたコンピュータに対して画像を転送すると共に、該画像に対する画像処理を要求する撮像装置の本発明の制御方法は、前記記憶手段に記憶された画像から、転送する画像を選択する選択ステップと、前記画像処理の要求に画像保存指示を含めた場合に、前記選択した画像を転送後、前記記憶手段に記憶された該転送済みの画像に転送済みの属性を付加する属性付与ステップとを有し、前記画像処理の要求に前記画像保存指示を含めない場合に、前記選択した画像を転送後、該転送済みの画像に転送済みの属性を付加しない。